(57)【要約】  ユーザ装置において、基地局装置から、ランダムアクセス手順の方式の指示を受信する受信部と、前記指示に応じて、最初のメッセージをプリアンブルリソースとＰＵＳＣＨリソースを用いて送信する方式のランダムアクセス手順を実行するか否かを判断する制御部とを備える。
2020166047.tif 000002
【特許請求の範囲】
【請求項１】
基地局装置から、ランダムアクセス手順の方式の指示を受信する受信部と、
前記指示に応じて、最初のメッセージをプリアンブルリソースとＰＵＳＣＨリソースを用いて送信する方式のランダムアクセス手順を実行するか否かを判断する制御部と
を備えるユーザ装置。
【請求項２】
ＤＬ信号の測定を行う受信部と、
前記測定の測定結果と所定の閾値とを比較することにより、最初のメッセージをプリアンブルリソースとＰＵＳＣＨリソースを用いて送信する方式のランダムアクセス手順を実行するか否かを判断する制御部と、
を備えるユーザ装置。
【請求項３】
基地局装置から、タイミングアドバンスの値を受信する受信部と、
前記タイミングアドバンスの値と所定の閾値とを比較することにより、最初のメッセージをプリアンブルリソースとＰＵＳＣＨリソースを用いて送信する方式のランダムアクセス手順を実行するか否かを判断する制御部と、
を備えるユーザ装置。
【請求項４】
基地局装置から送信され、それぞれがインデックスに対応付けられている複数の信号から特定の信号を選択する受信部と、
前記特定の信号のインデックスに基づいて、最初のメッセージをプリアンブルリソースとＰＵＳＣＨリソースを用いて送信する方式のランダムアクセス手順を実行するか否かを判断する制御部と
を備えるユーザ装置。
【請求項５】
前記受信部は、最初のメッセージをプリアンブルリソースとＰＵＳＣＨリソースを用いて送信する方式のランダムアクセス手順についての設定情報と、その他の方式のランダムアクセス手順についての設定情報とを別々に基地局装置から受信する
請求項１ないし４のうちいずれか１項に記載のユーザ装置。
【請求項６】
基地局装置から、ランダムアクセス手順の方式の指示を受信するステップと、
前記指示に応じて、最初のメッセージをプリアンブルリソースとＰＵＳＣＨリソースを用いて送信する方式のランダムアクセス手順を実行するか否かを判断するステップと
を備えるユーザ装置が実行する制御方法。
【発明の詳細な説明】
【技術分野】
【０００１】
本発明は、無線通信システムにおけるユーザ装置に関連するものである。
【背景技術】
【０００２】
３ＧＰＰ（3rd Generation Partnership Project）では、システム容量の更なる大容量化、データ伝送速度の更なる高速化、無線区間における更なる低遅延化等を実現するために、５ＧあるいはＮＲ（New Radio）と呼ばれる無線通信方式（以下、当該無線通信方式を「ＮＲ」という。）の検討が進んでいる。５Ｇでは、１０Ｇｂｐｓ以上のスループットを実現しつつ無線区間の遅延を１ｍｓ以下にするという要求条件を満たすために、様々な無線技術及びネットワークアーキテクチャの検討が行われている（例えば非特許文献１）。
【先行技術文献】
【非特許文献】
【０００３】
【非特許文献１】３ＧＰＰ  ＴＳ  ３８．３００  Ｖ１５．４．０（２０１８−１２）
【非特許文献２】３ＧＰＰ  ＴＳ  ３８．３２１  Ｖ１５．４．０（２０１８−１２）
【発明の概要】
【発明が解決しようとする課題】
【０００４】
ＮＲでもＬＴＥと同様のランダムアクセス手順が規定されている（非特許文献２）。更に、ＮＲでは、低遅延化、消費電力削減等のために、ステップ数の少ないランダムアクセス手順（２ステップＲＡＣＨと呼ぶ）の検討が開始されている。【０００５】
しかし、２ステップＲＡＣＨでは、タイミングアドバンスによる送信タイミング調整を行う前に、ＣＰ長の短いＰＵＳＣＨでデータを送信することが想定されているため、２ステップＲＡＣＨを利用可能な基地局装置とユーザ装置との距離が限られる。その場合に当該利用可能な距離以下の最大セル半径のセルのみで２ステップＲＡＣＨを利用可能とすると２ステップＲＡＣＨを利用可能なケースが大きく制限されてしまうという課題がある。【０００６】
本発明は上記の点に鑑みてなされたものであり、セル半径に拠らずに、ユーザ装置が、ステップ数を削減したランダムアクセス手順を実行するか否かを判断することを可能とする技術を提供することを目的とする。
【課題を解決するための手段】
【０００７】
開示の技術によれば、基地局装置から、ランダムアクセス手順の方式の指示を受信する受信部と、
前記指示に応じて、最初のメッセージをプリアンブルリソースとＰＵＳＣＨリソースを用いて送信する方式のランダムアクセス手順を実行するか否かを判断する制御部と
を備えるユーザ装置が提供される。
【発明の効果】
【０００８】
開示の技術によれば、セル半径に拠らずに、ユーザ装置が、ステップ数を削減したランダムアクセス手順を実行するか否かを判断することを可能とする技術を提供される。
【図面の簡単な説明】
【０００９】
【図１】本発明の実施の形態における無線通信システムを説明するための図である。
【図２】４ステップＲＡＣＨを示す図である。
【図３】２ステップＲＡＣＨを示す図である。
【図４】実施例１の動作を説明するための図である。
【図５】実施例２の動作を説明するための図である。
【図６】実施例２の動作を説明するための図である。
【図７】実施例３の動作を説明するための図である。
【図８】実施例３の動作を説明するための図である。
【図９】本発明の実施の形態における基地局装置１０の機能構成の一例を示す図である。
【図１０】本発明の実施の形態におけるユーザ装置２０の機能構成の一例を示す図である。
【図１１】本発明の実施の形態における基地局装置１０又はユーザ装置２０のハードウェア構成の一例を示す図である。
【発明を実施するための形態】
【００１０】
以下、図面を参照して本発明の実施の形態を説明する。なお、以下で説明する実施の形態は一例であり、本発明が適用される実施の形態は、以下の実施の形態に限られない。
【００１１】
本発明の実施の形態の無線通信システムの動作にあたっては、適宜、既存技術が使用される。当該既存技術は、例えば既存のＮＲあるいはＬＴＥであるが、既存のＮＲあるいはＬＴＥに限られない。
【００１２】
また、本明細書では、ＰＵＳＣＨ、ＰＤＣＣＨ、ＲＲＣ等の既存のＮＲあるいはＬＴＥの仕様書で使用されている用語を用いているが、本明細書で使用するチャネル名、プロトコル名、信号名、機能名等で表わされるものが別の名前で呼ばれてもよい。
【００１３】
（システム構成）
図１は、本発明の実施の形態における無線通信システムを説明するための図である。本発明の実施の形態における無線通信システムは、図１に示されるように、基地局装置１０及びユーザ装置２０を含む。図１には、基地局装置１０及びユーザ装置２０が１つずつ示されているが、これは例であり、それぞれ複数であってもよい。
【００１４】
基地局装置１０は、１つ以上のセルを提供し、ユーザ装置２０と無線通信を行う通信装置である。無線信号の物理リソースは、時間領域及び周波数領域で定義され、時間領域はＯＦＤＭシンボル数で定義されてもよいし、周波数領域はサブキャリア数又はリソースブロック数で定義されてもよい。また、時間領域におけるＴＴＩ（Transmission Time Interval）がスロットであってもよいし、ＴＴＩがサブフレームであってもよい。
【００１５】
基地局装置１０は、同期信号及びシステム情報をユーザ装置２０に送信する。同期信号は、例えば、ＮＲ−ＰＳＳ及びＮＲ−ＳＳＳである。システム情報は、例えば、ＮＲ−ＰＢＣＨあるいはＰＤＳＣＨにて送信され、ブロードキャスト情報ともいう。図１に示されるように、基地局装置１０は、ＤＬ（Ｄｏｗｎｌｉｎｋ）で制御信号又はデータをユーザ装置２０に送信し、ＵＬ（Ｕｐｌｉｎｋ）で制御信号又はデータをユーザ装置２０から受信する。なお、ここでは、ＰＵＣＣＨ、ＰＤＣＣＨ等の制御チャネルで送信されるものを制御信号と呼び、ＰＵＳＣＨ、ＰＤＳＣＨ等の共有チャネルで送信されるものをデータと呼んでいるが、このような呼び方は一例である。
【００１６】
ユーザ装置２０は、スマートフォン、携帯電話機、タブレット、ウェアラブル端末、Ｍ２Ｍ（Machine-to-Machine）用通信モジュール等の無線通信機能を備えた通信装置である。図１に示されるように、ユーザ装置２０は、ＤＬで制御信号又はデータを基地局装置１０から受信し、ＵＬで制御信号又はデータを基地局装置１０に送信することで、無線通信システムにより提供される各種通信サービスを利用する。なお、ユーザ装置２０をＵＥと呼び、基地局装置１０をｇＮＢと呼んでもよい。
【００１７】
（ランダムアクセス手順について）
まず、図２を参照して、本実施の形態における無線通信システムにおいて実行される４ステップのランダムアクセス手順の例を説明する。なお、本実施の形態では、ステップ数を削減する対象となるＣＢＲＡ（Ｃｏｎｔｅｎｔｉｏｎ  ｂａｓｅｄ  Ｒａｎｄｏｍ  Ａｃｃｅｓｓ、衝突型ランダムアクセス）について説明している。ＣＦＲＡ（Ｃｏｎｔｅｎｔｉｏｎ  Ｆｒｅｅ  Ｒａｎｄｏｍ  Ａｃｃｅｓｓ、非衝突型ランダムアクセス）では、基本的にＵＥがＭｓｇ２を受信することでランダムアクセス手順が完了するので、そのままでステップ数が少ない。ただし、本発明はＣＢＲＡに限定されるわけではなく、本発明がＣＦＲＡに適用されてもよい。
【００１８】
ＮＲでは、ＳＳ／ＰＢＣＨブロック（ＳＳＢとも呼ぶ。同期信号ブロックあるいは同期信号と呼んでもよい。）を選択することによりランダムアクセス手順を実行することもできるし、ＣＳＩ−ＲＳ（Channel State Information-Reference Signal）を選択することによりランダムアクセス手順を実行することもできる。
【００１９】
基地局装置１０は、例えば、ビーム毎にＳＳＢ（又はＣＳＩ−ＲＳ）を送信し、ユーザ装置２０は各ビームのＳＳＢ（又はＣＳＩ−ＲＳ）を監視する。ユーザ装置２０は、複数のＳＳＢ（又はＣＳＩ−ＲＳ）のうち、受信電力が所定閾値よりも大きいＳＳＢ（又はＣＳＩ−ＲＳ）を選択し、選択したＳＳＢ（又はＣＳＩ−ＲＳ）に対応するＰＲＡＣＨリソース（ＰＲＡＣＨ  ｏｃｃａｓｉｏｎ）を用いてＭｅｓｓａｇｅ１（Ｍｓｇ１（＝ＲＡ  ｐｒｅａｍｂｌｅ））を送信する（図２のＳ１）。以降、便宜上、ＲＡ  ｐｒｅａｍｂｌｅをｐｒｅａｍｂｌｅと呼ぶ。
【００２０】
基地局装置１０は、ｐｒｅａｍｂｌｅを検出すると、その応答であるＭｅｓｓａｇｅ２（Ｍｓｇ２（＝ＲＡＲ））をユーザ装置２０に送信する（Ｓ２）。Ｍｓｇ２を受信したユーザ装置２０は、所定の情報を含むＭｅｓｓａｇｅ３（Ｍｓｇ３）を基地局装置１０に送信する（Ｓ３）。
【００２１】
Ｍｓｇ３を受信した基地局装置１０は、Ｍｅｓｓａｇｅ４（Ｍｓｇ４）をユーザ装置１０に送信する（Ｓ４）。ユーザ装置１０は、上記の所定の情報がＭｓｇ４に含まれていることを確認すると、当該Ｍｓｇ４が、上記のＭｓｇ３に対応する自分宛てのＭｓｇ４であることを認識する(Contention resolution :OK)。
【００２２】
上記のランダムアクセス手順は、４ステップからなるので、これを４ステップＲＡＣＨと呼ぶ。
【００２３】
次に、低遅延化、消費電力削減等のために、ステップ数を削減したランダムアクセス手順を図３を参照して説明する。
【００２４】
Ｓ１１において、ユーザ装置２０は、ｐｒｅａｍｂｌｅとデータを有するＭｅｓｓａｇｅＡ（ＭｓｇＡ）を基地局装置１０に送信する。一例として、ユーザ装置２０は、４ステップＲＡＣＨでのＰＲＡＣＨリソース（ＰＲＡＣＨ  ｏｃｃａｓｉｏｎ）の選択と同様にしてＰＲＡＣＨリソースを選択して当該ＰＲＡＣＨリソースでｐｒｅａｍｂｌｅを送信するとともに、ＰＲＡＣＨリソースに紐付けられたＰＵＳＣＨリソースでデータを送信する。なお、ここでのｐｒｅａｍｂｌｅとデータは、例えば、４ステップＲＡＣＨでのＭｓｇ１とＭｓｇ３に相当する。なお、２ステップＲＡＣＨにおいて、データを送信するためのリソースはＰＵＳＣＨのリソースに限られるわけではなく、データ（あるいは制御情報）を送信するいかなるチャネルのリソースを使用してもよい。
【００２５】
Ｓ１２において、基地局装置１０は、ＭｅｓｓａｇｅＢ（ＭｓｇＢ）をユーザ装置２０に送信する。ＭｓｇＢのコンテンツは、例えば、４ステップＲＡＣＨでのＭｓｇ２とＭｓｇ４に相当する。
【００２６】
上記のランダムアクセス手順は、２ステップからなるので、これを２ステップＲＡＣＨと呼ぶ。２ステップＲＡＣＨは、ステップ数を削減したランダムアクセス手順の例である。
【００２７】
（課題について）
２ステップＲＡＣＨでは、ｐｒｅａｍｂｌｅ及びＰＵＳＣＨとして、Ｒｅｌ−１５で規定されたＮＲ  ＰＲＡＣＨ  ｐｒｅａｍｂｌｅ  ｄｅｓｉｇｎ及びＮＲ  ＰＵＳＣＨをｒｅｕｓｅすることが想定されている。
【００２８】
ランダムアクセス手順では、ユーザ装置２０がｐｒｅａｍｂｌｅを送信した後に基地局装置２０から受信するＲＡＲにＴｉｍｉｎｇ  ａｄｖａｎｃｅの値が含まれている。これにより、ユーザ装置２０はＴｉｍｉｎｇ  ａｄｖａｎｃｅの値を知り、ＵＬ同期をとることができる。Ｔｉｍｉｎｇ  ａｄｖａｎｃｅとは、ユーザ装置２０が、ＵＬ  ｄａｔａ送信等の時に伝搬遅延を考慮してＵＬ送信のタイミングを早める量のことである。それにより受信側で適切なタイミングで受信することができる。
【００２９】
しかし、ユーザ装置２０は、ｐｒｅａｍｂｌｅ送信時点ではＴｉｍｉｎｇ  ａｄｖａｎｃｅの値を知らないことを前提としているので、ｐｒｅａｍｂｌｅのＣＰ（ｃｙｃｌｉｃ  ｐｒｅｆｉｘ）長はセル半径に依存して、セル半径が大きいほど伝搬遅延を考慮しＣＰ長を長く設定するのが一般的である。すなわち、ｐｒｅａｍｂｌｅ送信時点ではＴｉｍｉｎｇ  ａｄｖａｎｃｅによる送信タイミング調整を行わないため、十分な量のＣＰ長とｐｒｅａｍｂｌｅ後のｇｕａｒｄ  ｔｉｍｅが必要となる。
【００３０】
図３で説明した２ステップＲＡＣＨのＭｓｇＡの送信において、ｐｒｅａｍｂｌｅとともに送信するＰＵＳＣＨによるデータの送信時には、ユーザ装置２０は、ＭｓｇＢ（Ｍｓｇ２相当の情報を含む）を受信していないので、ＰＵＳＣＨによるデータの送信は、ｐｒｅａｍｂｌｅと同様に、Ｔｉｍｉｎｇ  ａｄｖａｎｃｅの値を知ることなく行う必要がある。
【００３１】
一方、ＭｓｇＡの送信に使用するＰＵＳＣＨとして、ＮＲ  ＰＵＳＣＨをｒｅｕｓｅするため、ＭｓｇＡのＰＵＳＣＨのｎｅｗ  ＣＰ長は想定されていない。つまり、ＰＵＳＣＨのＣＰ長は、ｐｒｅａｍｂｌｅのＣＰ長と比べて非常に短いが、その短いＣＰ長の他に、長い新たなＣＰ長を、ＭｓｇＡ用のＰＵＳＣＨに対して規定することは想定されていない。このため、ユーザ装置２０と基地局装置１０との距離が長いと、ＰＵＳＣＨのＣＰ長では伝搬遅延と遅延スプレッドをカバーできないので、２ステップＲＡＣＨを利用可能なユーザ装置２０と基地局装置１０との距離は短いものに限られることになる。
【００３２】
その場合に上記利用可能な距離以下の最大セル半径のセルのみで２ステップＲＡＣＨを利用可能とすると２ステップＲＡＣＨが利用可能なケースが大きく制限されてしまう。従って、２ステップＲＡＣＨを実施可能であることを判断して、２ステップＲＡＣＨを実施するような仕組みが必要となる。
【００３３】
以下、上記の課題を解決する技術として、実施例１、実施例２、実施例３、実施例４を説明する。
【００３４】
（実施例１）
実施例１では、基地局装置１０が、ユーザ装置２０に対して、ユーザ装置２０がランダムアクセス手順を行う際に、２ステップＲＡＣＨを実行するか、あるいは、４ステップＲＡＣＨを実行するかを通知する。通知に使用する信号は、ＲＲＣ信号でもよいし、ＭＡＣ信号でもよいし、物理レイヤの信号（ＤＣＩ，ＰＤＣＣＨ）でもよいし、その他の信号でもよい。また、セル半径が小さい場合等には、基地局装置１０は、在圏する全ユーザ装置に共通なブロードキャスト情報で２ステップＲＡＣＨを実行することをセル内に通知してもよい。また、ＲＡＣＨをトリガーする信号（ＲＲＣ，ＰＤＣＣＨなど）により、２ステップＲＡＣＨを実行するか、あるいは、４ステップＲＡＣＨを実行するかを通知してもよい。
【００３５】
ユーザ装置２０は、基地局装置１０からの指示に従って、ランダムアクセス手順を行う際に、２ステップＲＡＣＨを実行するか、あるいは、４ステップＲＡＣＨを実行する。
【００３６】
図４に実施例１の処理シーケンスの例を示す。まず、Ｓ１０１において、基地局装置１０は、ユーザ装置２０に２ステップＲＡＣＨを実行させるか、あるいは、４ステップＲＡＣＨを実行させるかを判断する。
【００３７】
例えば、基地局装置１０は、ユーザ装置２０が上り同期の再確立が必要でありＣＢＲＡを実行することを把握し、更に、直前のユーザ装置２０との通信から、ユーザ装置２０が２ステップＲＡＣＨ可能な距離に存在することを把握すると、ユーザ装置２０に２ステップＲＡＣＨに実行させることを決定する。
【００３８】
Ｓ１０２において、基地局装置１０は、Ｓ１０１の判断に基づき、ユーザ装置２０に対して、ランダムアクセス手順の方式（２ステップＲＡＣＨ又は４ステップＲＡＣＨ）を指示する。Ｓ１０３において、ユーザ装置２０は、ランダムアクセス手順実行時に、基地局装置１０からの指示に基づいて、２ステップＲＡＣＨ又は４ステップＲＡＣＨを実行する。
【００３９】
実施例１では、基地局装置１０が、ユーザ装置２０に対して、２ステップＲＡＣＨを実行するか、あるいは、４ステップＲＡＣＨを実行するかを通知し、ユーザ装置２０は当該通知に基づいてランダムアクセス手順を実行するので、ユーザ装置２０は、少ない判断処理の負荷で、迅速に２ステップＲＡＣＨを実行するか、あるいは、４ステップＲＡＣＨを実行するかを決定できる。
【００４０】
（実施例２）
実施例２では、所定の基準値に基づき、ユーザ装置２０が２ステップＲＡＣＨを実行するか４ステップＲＡＣＨを実行するかを判断する。所定の基準値は例えば閾値である。また、所定の基準値は、例えば、基地局装置１０からユーザ装置２０に通知されるものである。
【００４１】
図５に、実施例２における処理シーケンスの例を示す。Ｓ２０１において、基地局装置１０はユーザ装置２０に対して閾値を通知する。閾値は、セルで共通の値であってもよいし、ユーザ装置個別の値であってもよい。Ｓ２０１での通知に使用する信号は、ＲＲＣ信号でもよいし、ＭＡＣ信号でもよいし、その他の信号でもよい。ユーザ装置２０は、受信した閾値を保持する。
【００４２】
Ｓ２０２では、例えば、ユーザ装置２０において、ランダムアクセスを実行するトリガーが発生すると（例：上り同期確立）、ユーザ装置２０は、Ｓ２０１で受信した閾値を用いて、２ステップＲＡＣＨを実行するか４ステップＲＡＣＨを実行するかを判断する。Ｓ２０３において、ユーザ装置２０は、Ｓ２０２での判断結果に基づいて、２ステップＲＡＣＨ又は４ステップＲＡＣＨを実行する。なお、Ｓ２０２の判断は、ランダムアクセスを実行するトリガーが発生する前に行うこととしてもよい。
【００４３】
実施例２の具体例について、以下、オプション１とオプション２を説明する。
【００４４】
＜オプション１＞
オプション１では、Ｓ２０１において、基地局装置１０からユーザ装置２０に、ユーザ装置２０が行うＤＬ信号の測定結果と比較する閾値が通知される。当該測定結果は、例えば、ＲＳＲＰ、ＲＳＲＱ、ＳＩＮＲのうちのいずれかである。また、測定を行う対象となるＤＬ信号は、ＳＳであってもよいし、ＣＳＩ−ＲＳであってもよいし、その他の信号でもよい。
【００４５】
Ｓ２０２において、ユーザ装置２０は、ランダムアクセス手順のトリガが発生した時点（あるいはその前）の測定結果と閾値とを比較し、測定結果が閾値よりも大きければ２ステップＲＡＣＨを実行することを決定し、測定結果が閾値よりも小さければ４ステップＲＡＣＨを実行することを決定する。なお、閾値と比較する測定結果に関しては、ある一回の測定結果でもよいし、ある期間の測定結果の統計値（例：平均）でも良いし、ある期間の測定結果の変化量であってもよい。
【００４６】
図６に、オプション１のイメージを示す。図６に示すように、ユーザ装置２０Ａは基地局装置１０から近い距離にいるので、ＲＳＲＰは閾値よりも高くなり、２ステップＲＡＣＨを実行する。一方、ユーザ装置２０Ｂは基地局装置１０から遠い距離にいるので、ＲＳＲＰは閾値よりも低くなり、４ステップＲＡＣＨを実行する。
【００４７】
＜オプション２＞
オプション２では、Ｓ２０１において、基地局装置１０からユーザ装置２０に、ユーザ装置２０が保持するＴｉｍｉｎｇ  ａｄｖａｎｃｅの値と比較する閾値が通知される。通常、基地局装置１０とユーザ装置２０との距離が大きければＴｉｍｉｎｇ  ａｄｖａｎｃｅの値は大きくなり、基地局装置１０とユーザ装置２０との距離が小さければＴｉｍｉｎｇ  ａｄｖａｎｃｅの値は小さくなる。
【００４８】
Ｓ２０２において、ユーザ装置２０は、ランダムアクセス手順のトリガが発生した時点（あるいはその前）において保持しているＴｉｍｉｎｇ  ａｄｖａｎｃｅの値と閾値とを比較し、Ｔｉｍｉｎｇ  ａｄｖａｎｃｅの値が閾値よりも小さければ２ステップＲＡＣＨを実行することを決定し、Ｔｉｍｉｎｇ  ａｄｖａｎｃｅの値が閾値よりも大きければ４ステップＲＡＣＨを実行することを決定する。
【００４９】
ユーザ装置２０が保持するＴｉｍｉｎｇ  ａｄｖａｎｃｅの値は、例えば、Ｓ２０２の直前に実行したランダムアクセス手順で受信したＲＡＲに含まれていたＴｉｍｉｎｇ  ａｄｖａｎｃｅの値である。あるいは、ユーザ装置２０が保持するＴｉｍｉｎｇ  ａｄｖａｎｃｅの値は、例えば、Ｓ２０２の直前に実行したランダムアクセス手順で受信したＲＡＲに含まれていたＴｉｍｉｎｇ  ａｄｖａｎｃｅの値に対し、ＭＡＣ  ＣＥによるＴｉｍｉｎｇ  ａｄｖａｎｃｅ  ｃｏｍｍａｎｄにより補正が加えられた値である。
【００５０】
なお、Ｔｉｍｉｎｇ  ａｄｖａｎｃｅの値と比較する閾値については、図５に示すように基地局装置１０からユーザ装置２０に通知されてもよいし、仕様書（規格書）で規定されてもよい。仕様書（規格書）で規定される場合、ユーザ装置２０は、当該閾値を予め保持する（製品に組み込まれている）こととしてもよいし、当該閾値が基地局装置１０からユーザ装置２０に通知されてもよい。
【００５１】
また、ユーザ装置２０は、上記のような閾値を用いずに、ＭｓｇＡの送信に使用されるＰＵＳＣＨのＣＰ長に基づき、判断してもよい。例えば、ＣＰ長が、距離Ｄに相当する長さであった場合、ユーザ装置２０は、ユーザ装置２０が保持するＴｉｍｉｎｇ  ａｄｖａｎｃｅの値に対応する距離が、距離Ｄよりも大きい場合に４ステップＲＡＣＨを実行し、ユーザ装置２０が保持するＴｉｍｉｎｇ  ａｄｖａｎｃｅの値に対応する距離が、距離Ｄよりも小さい場合に２ステップＲＡＣＨを実行する。
【００５２】
実施例２では、ユーザ装置２０は、基地局装置１０−ユーザ装置２０間の距離に応じた値と閾値とを比較してランダムアクセス手順の方式を決定するので、適切にランダムアクセス手順の方式を決定できる。
【００５３】
（実施例３）
基地局装置１０は、複数のＳＳＢ（ＳＳ  Ｂｌｏｃｋ）のそれぞれに異なる送信ビームフォーミングを適用して、当該複数のＳＳＢ（ＳＳ  Ｂｌｏｃｋ）を送信する。各ＳＳＢには番号（インデックス）が付されている。また、各ＳＳＢは、予め設定されたシンボル位置で、周期的に送信される。なお、ＳＳ（Ｓｙｎｃｈｒｏｎｉｚａｔｉｏｎ  Ｓｉｇｎａｌ）とＰＢＣＨとで１つのブロックを構成することから、本明細書で説明するＳＳＢをＳＳ／ＰＢＣＨ  ｂｌｏｃｋと称してもよい。
【００５４】
例えば、図７に示すように、基地局装置１０は、ＳＳＢ＃０を基地局装置１０に近い場所に向けられるビームで送信し、ＳＳＢ＃２を基地局装置１０から遠い場所に向けられるビームで送信する。
【００５５】
ランダムアクセス手順では、ユーザ装置２０は、所定の閾値よりも大きな受信電力のＳＳＢを選択し、当該ＳＳＢに対応するＲＡＣＨ  ｏｃｃａｓｉｏｎ（ｐｒｅａｍｂｌｅリソース）を選択し、当該ｐｒｅａｍｂｌｅリソースでｐｒｅａｍｂｌｅを送信する。なお、２ステップＲＡＣＨにおいてもこの動作が行われてもよいし、２ステップＲＡＣＨにおいてはこの動作と異なる動作が行われてもよい。
【００５６】
実施例３では、ユーザ装置２０は、ｐｒｅａｍｂｌｅ送信前に選択したＳＳＢに応じて、２ステップＲＡＣＨとするのか４ステップＲＡＣＨとするのかを決定する。基地局装置１０は、ユーザ装置２０に対し、２ステップＲＡＣＨに対応するＳＳＢインデックスと４ステップＲＡＣＨに対応するＳＳＢインデックスを通知する。ただし、２ステップＲＡＣＨに対応するＳＳＢインデックスと４ステップＲＡＣＨに対応するＳＳＢインデックスがユーザ装置２０に予め設定されている場合等（仕様で規定されている場合等）には、この通知を行わないこととしてもよい。
【００５７】
例えば、ＳＳＢ＃０、ＳＳＢ＃１が２ステップＲＡＣＨに対応し、ＳＳＢ＃２、ＳＳＢ＃４が４ステップＲＡＣＨに対応する場合において、ユーザ装置２０がｐｒｅａｍｂｌｅ送信前にＳＳＢ＃０を選択すると、ユーザ装置２０は２ステップＲＡＣＨを実行する。
【００５８】
図８は、実施例３の処理シーケンスの例を示す。図８に示すように、ユーザ装置２０はＳＳＢを受信する（Ｓ３０１）。Ｓ３０２において、ユーザ装置２０は特定のＳＳＢを選択する。Ｓ３０３において、ユーザ装置２０は、選択したＳＳＢに対応した方式でランダムアクセス手順を実行する。
【００５９】
なお、実施例３では、ＳＳＢを例にとって説明したが、ＳＳＢに代えてＣＳＩ−ＲＳを使用しても、上述した実施例３の処理を実施可能である。
【００６０】
実施例３では、ユーザ装置２０は、受信したＳＳＢ（ＣＳＩ−ＲＳ）に応じて、ランダムアクセス手順の方式を決定するので、適切にランダムアクセス手順の方式を決定できる。
【００６１】
（実施例４）
実施例４では、これまでに説明した実施例１〜３のいずれにも適用可能な技術について説明する。
【００６２】
ユーザ装置２０の判断で２ステップＲＡＣＨを実行するか、それとも、４ステップＲＡＣＨを実行するかが決定される場合において、基地局装置１０は、ユーザ装置２０から受信する信号（例：ｐｒｅａｍｂｌｅ）に基づいて、ユーザ装置２０が２ステップＲＡＣＨと４ステップＲＡＣＨのうちのどちらを実行しているのかを把握できることが望ましい。
【００６３】
そこで、実施例４において、基地局装置１０は、ユーザ装置２０に対して、２ステップＲＡＣＨ用のｃｏｎｆｉｇｕｒａｔｉｏｎ（設定情報）と４ステップＲＡＣＨ用のｃｏｎｆｉｇｕｒａｔｉｏｎとを別々に通知する。ただし、完全に別々である必要はなく、一部のみが別々であってもよい。通知は、ＲＲＣ信号で行ってもよいし、ＭＡＣ信号で行ってもよい。
【００６４】
例えば、基地局装置１０は、ユーザ装置２０に対して、２ステップＲＡＣＨ用のｐｒｅａｍｂｌｅリソース（ＲＡＣＨ  ｏｃｃａｓｉｏｎ）として、ｐｒｅａｍｂｌｅリソースＡを通知し、４ステップＲＡＣＨ用のｐｒｅａｍｂｌｅリソース（ＲＡＣＨ  ｏｃｃａｓｉｏｎ）として、ｐｒｅａｍｂｌｅリソースＢを通知する。
【００６５】
ｐｒｅａｍｂｌｅリソースＡとｐｒｅａｍｂｌｅリソースＢは重複しないリソースである。この場合、基地局装置１０は、ユーザ装置２０からｐｒｅａｍｂｌｅリソースＡでｐｒｅａｍｂｌｅを受信した場合、ユーザ装置２０は２ステップＲＡＣＨを実行する、と判断する。また、基地局装置１０は、ユーザ装置２０からｐｒｅａｍｂｌｅリソースＢでｐｒｅａｍｂｌｅを受信した場合、ユーザ装置２０は４ステップＲＡＣＨを実行する、と判断する。
【００６６】
また、例えば、基地局装置１０は、ユーザ装置２０に対して、２ステップＲＡＣＨ用のｐｒｅａｍｂｌｅ  ｉｎｄｅｘ（あるいはｐｒｅａｍｂｌｅ  ｉｎｄｅｘ  ｓｅｔ）として、ｐｒｅａｍｂｌｅ  ｉｎｄｅｘ−Ａ（あるいはｐｒｅａｍｂｌｅ  ｉｎｄｅｘ  ｓｅｔ−Ａ）を通知し、４ステップＲＡＣＨ用のｐｒｅａｍｂｌｅ  ｉｎｄｅｘ（あるいはｐｒｅａｍｂｌｅ  ｉｎｄｅｘ  ｓｅｔ）として、ｐｒｅａｍｂｌｅ  ｉｎｄｅｘ−Ｂ（あるいはｐｒｅａｍｂｌｅ  ｉｎｄｅｘ  ｓｅｔ−Ｂ）を通知する。
【００６７】
ｐｒｅａｍｂｌｅ  ｉｎｄｅｘ−Ａ（あるいはｐｒｅａｍｂｌｅ  ｉｎｄｅｘ  ｓｅｔ−Ａ）とｐｒｅａｍｂｌｅ  ｉｎｄｅｘ−Ｂ（あるいはｐｒｅａｍｂｌｅ  ｉｎｄｅｘ  ｓｅｔ−Ｂ）は重複しないｐｒｅａｍｂｌｅである。この場合、基地局装置１０は、ユーザ装置２０からｐｒｅａｍｂｌｅ  ｉｎｄｅｘ−Ａ（あるいはｐｒｅａｍｂｌｅ  ｉｎｄｅｘ  ｓｅｔ−Ａの中のｉｎｄｅｘ）のｐｒｅａｍｂｌｅを受信した場合、ユーザ装置２０は２ステップＲＡＣＨを実行する、と判断する。また、基地局装置１０は、ユーザ装置２０からｐｒｅａｍｂｌｅ  ｉｎｄｅｘ−Ｂ（あるいはｐｒｅａｍｂｌｅ  ｉｎｄｅｘ  ｓｅｔ−Ｂの中のｉｎｄｅｘ）のｐｒｅａｍｂｌｅを受信した場合、ユーザ装置２０は４ステップＲＡＣＨを実行する、と判断する。
【００６８】
実施例４では、２ステップＲＡＣＨ用のｃｏｎｆｉｇｕｒａｔｉｏｎと４ステップＲＡＣＨ用のｃｏｎｆｉｇｕｒａｔｉｏｎとが区別されるので、基地局装置１０は、ユーザ装置２０が２ステップＲＡＣＨと４ステップＲＡＣＨのうちのどちらを実行しているかを迅速に判断できる。
【００６９】
（装置構成）
次に、これまでに説明した処理及び動作を実行する基地局装置１０及びユーザ装置２０の機能構成例を説明する。基地局装置１０及びユーザ装置２０は上述した実施例１〜４を実施する機能を含む。ただし、基地局装置１０及びユーザ装置２０はそれぞれ、実施例１〜４のうちのいずれかの実施例の機能のみを備えることとしてもよい。
【００７０】
＜基地局装置１０＞
図９は、基地局装置１０の機能構成の一例を示す図である。図９に示されるように、基地局装置１０は、送信部１１０と、受信部１２０と、設定部１３０と、制御部１４０とを有する。図９に示される機能構成は一例に過ぎない。本発明の実施の形態に係る動作を実行できるのであれば、機能区分及び機能部の名称はどのようなものでもよい。
【００７１】
送信部１１０は、ユーザ装置２０側に送信する信号を生成し、当該信号を無線で送信する機能を含む。受信部１２０は、ユーザ装置２０から送信された各種の信号を受信し、受信した信号から、例えばより上位のレイヤの情報を取得する機能を含む。また、送信部１１０は、ユーザ装置２０へＮＲ−ＰＳＳ、ＮＲ−ＳＳＳ、ＮＲ−ＰＢＣＨ、ＤＬ／ＵＬ制御信号、ＤＬデータ等を送信する機能を有する。
【００７２】
設定部１３０は、予め設定される設定情報、及び、ユーザ装置２０に送信する各種の設定情報を記憶装置に格納し、必要に応じて記憶装置から読み出す。設定情報の内容は、例えば、基準値（例：閾値）、ランダムアクセス手順のために用いるｐｒｅａｍｂｌｅリソース、ＰＵＳＣＨリソース、ＲＡＲ  ｗｉｎｄｏｗ長等である。
【００７３】
制御部１４０は、例えば、ユーザ装置２０がＣＢＲＡを実行することを把握し、更に、直前のユーザ装置２０との通信から、ユーザ装置２０が２ステップＲＡＣＨ可能な距離に存在することを把握すると、ユーザ装置２０に２ステップＲＡＣＨを実行させることを決定する。なお、制御部１４０における信号送信に関する機能部を送信部１１０に含め、制御部１４０における信号受信に関する機能部を受信部１２０に含めてもよい。
【００７４】
＜ユーザ装置２０＞
図１０は、ユーザ装置２０の機能構成の一例を示す図である。図１０に示されるように、ユーザ装置２０は、送信部２１０と、受信部２２０と、設定部２３０と、制御部２４０とを有する。図１０に示される機能構成は一例に過ぎない。本発明の実施の形態に係る動作を実行できるのであれば、機能区分及び機能部の名称はどのようなものでもよい。
【００７５】
送信部２１０は、送信データから送信信号を作成し、当該送信信号を無線で送信する。受信部２２０は、各種の信号を無線受信し、受信した物理レイヤの信号からより上位のレイヤの信号を取得する。また、受信部２２０は、ＤＬ信号の測定を行う。
【００７６】
設定部２３０は、受信部２２０により基地局装置１０から受信した各種の設定情報を記憶装置に格納し、必要に応じて記憶装置から読み出す。また、設定部２３０は、予め設定される設定情報も格納する。設定情報の内容は、例えば、基準値（例：閾値）、ランダムアクセス手順のために用いるｐｒｅａｍｂｌｅリソース、ＰＵＳＣＨリソース、ＲＡＲ  ｗｉｎｄｏｗ長等である。
【００７７】
制御部２４０は、実施例１〜３等で説明したように、２ステップＲＡＣＨを実行するかどうかの判断を実施する。なお、制御部２４０における信号送信に関する機能部を送信部２１０に含め、制御部２４０における信号受信に関する機能部を受信部２２０に含めてもよい。
【００７８】
（ハードウェア構成）
上記実施形態の説明に用いたブロック図（図９及び図１０）は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００７９】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）あるいは送信機（transmitter）と呼称される。いずれも、上述したとおり、実現方法は特に限定されない。
【００８０】
例えば、本開示の一実施の形態における基地局装置１０、ユーザ装置２０等は、本開示の無線通信方法の処理を行うコンピュータとして機能してもよい。図１１は、本開示の一実施の形態に係る基地局装置１０及びユーザ装置２０のハードウェア構成の一例を示す図である。上述の基地局装置１０及びユーザ装置２０は、物理的には、プロセッサ１００１、記憶装置１００２、補助記憶装置１００３、通信装置１００４、入力装置１００５、出力装置１００６、バス１００７などを含むコンピュータ装置として構成されてもよい。
【００８１】
なお、以下の説明では、「装置」という文言は、回路、デバイス、ユニット等に読み替えることができる。基地局装置１０及びユーザ装置２０のハードウェア構成は、図に示した各装置を１つ又は複数含むように構成されてもよいし、一部の装置を含まずに構成されてもよい。
【００８２】
基地局装置１０及びユーザ装置２０における各機能は、プロセッサ１００１、記憶装置１００２等のハードウェア上に所定のソフトウェア（プログラム）を読み込ませることによって、プロセッサ１００１が演算を行い、通信装置１００４による通信を制御したり、記憶装置１００２及び補助記憶装置１００３におけるデータの読み出し及び書き込みの少なくとも一方を制御したりすることによって実現される。
【００８３】
プロセッサ１００１は、例えば、オペレーティングシステムを動作させてコンピュータ全体を制御する。プロセッサ１００１は、周辺装置とのインタフェース、制御装置、演算装置、レジスタ等を含む中央処理装置（ＣＰＵ：Central Processing Unit）で構成されてもよい。例えば、上述の制御部１４０、制御部２４０等は、プロセッサ１００１によって実現されてもよい。
【００８４】
また、プロセッサ１００１は、プログラム（プログラムコード）、ソフトウェアモジュール又はデータ等を、補助記憶装置１００３及び通信装置１００４の少なくとも一方から記憶装置１００２に読み出し、これらに従って各種の処理を実行する。プログラムとしては、上述の実施の形態において説明した動作の少なくとも一部をコンピュータに実行させるプログラムが用いられる。例えば、図９に示した基地局装置１０の制御部１４０は、記憶装置１００２に格納され、プロセッサ１００１で動作する制御プログラムによって実現されてもよい。また、例えば、図１０に示したユーザ装置２０の制御部２４０は、記憶装置１００２に格納され、プロセッサ１００１で動作する制御プログラムによって実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されてもよい。
【００８５】
記憶装置１００２は、コンピュータ読み取り可能な記録媒体であり、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）等の少なくとも１つによって構成されてもよい。記憶装置１００２は、レジスタ、キャッシュ、メインメモリ（主記憶装置）等と呼ばれてもよい。記憶装置１００２は、本開示の一実施の形態に係る通信方法を実施するために実行可能なプログラム（プログラムコード）、ソフトウェアモジュール等を保存することができる。
【００８６】
補助記憶装置１００３は、コンピュータ読み取り可能な記録媒体であり、例えば、ＣＤ−ＲＯＭ（Compact Disc ROM）等の光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップ等の少なくとも１つによって構成されてもよい。補助記憶装置１００３は、補助記憶装置と呼ばれてもよい。上述の記憶媒体は、例えば、記憶装置１００２及び補助記憶装置１００３の少なくとも一方を含むデータベース、サーバその他の適切な媒体であってもよい。
【００８７】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、送受信アンテナ、アンプ部、送受信部、伝送路インターフェース等は、通信装置１００４によって実現されてもよい。送受信部は、送信部と受信部とで、物理的に、または論理的に分離された実装がなされてもよい。
【００８８】
入力装置１００５は、外部からの入力を受け付ける入力デバイス（例えば、キーボード、マウス、マイクロフォン、スイッチ、ボタン、センサ等）である。出力装置１００６は、外部への出力を実施する出力デバイス（例えば、ディスプレイ、スピーカー、LEDランプ等）である。なお、入力装置１００５及び出力装置１００６は、一体となった構成（例えば、タッチパネル）であってもよい。
【００８９】
また、プロセッサ１００１及び記憶装置１００２等の各装置は、情報を通信するためのバス１００７によって接続される。バス１００７は、単一のバスを用いて構成されてもよいし、装置間ごとに異なるバスを用いて構成されてもよい。
【００９０】
また、基地局装置１０及びユーザ装置２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）等のハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【００９１】
（実施の形態のまとめ）
以上、説明したように、本明細書には少なくとも下記の各項に記載されたユーザ装置及び制御方法が開示されている。
（第１項）
基地局装置から、ランダムアクセス手順の方式の指示を受信する受信部と、
前記指示に応じて、最初のメッセージをプリアンブルリソースとＰＵＳＣＨリソースを用いて送信する方式のランダムアクセス手順を実行するか否かを判断する制御部と
を備えるユーザ装置。
（第２項）
ＤＬ信号の測定を行う受信部と、
前記測定の測定結果と所定の閾値とを比較することにより、最初のメッセージをプリアンブルリソースとＰＵＳＣＨリソースを用いて送信する方式のランダムアクセス手順を実行するか否かを判断する制御部と、
を備えるユーザ装置。
（第３項）
基地局装置から、タイミングアドバンスの値を受信する受信部と、
前記タイミングアドバンスの値と所定の閾値とを比較することにより、最初のメッセージをプリアンブルリソースとＰＵＳＣＨリソースを用いて送信する方式のランダムアクセス手順を実行するか否かを判断する制御部と、
を備えるユーザ装置。
（第４項）
基地局装置から送信され、それぞれがインデックスに対応付けられている複数の信号から特定の信号を選択する受信部と、
前記特定の信号のインデックスに基づいて、最初のメッセージをプリアンブルリソースとＰＵＳＣＨリソースを用いて送信する方式のランダムアクセス手順を実行するか否かを判断する制御部と
を備えるユーザ装置。
【００９２】
上記の第１項〜第４項のそれぞれの技術により、セル半径に拠らずに、ユーザ装置が、ステップ数を削減したランダムアクセス手順を実行するか否かを判断することが可能となる。
（第５項）
前記受信部は、最初のメッセージをプリアンブルリソースとＰＵＳＣＨリソースを用いて送信する方式のランダムアクセス手順についての設定情報と、その他の方式のランダムアクセス手順についての設定情報とを別々に基地局装置から受信する
第１項ないし第４項のうちいずれか１項に記載のユーザ装置。
【００９３】
第５項の技術により、基地局装置は、ユーザ装置が２ステップＲＡＣＨと４ステップＲＡＣＨのうちのどちらを実行しているかを迅速に判断できるようになる。
（第６項）
基地局装置から、ランダムアクセス手順の方式の指示を受信するステップと、
前記指示に応じて、最初のメッセージをプリアンブルリソースとＰＵＳＣＨリソースを用いて送信する方式のランダムアクセス手順を実行するか否かを判断するステップと
を備えるユーザ装置が実行する制御方法。
【００９４】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、基地局装置１０及びユーザ装置２０は機能的なブロック図を用いて説明されたが、そのような装置はハードウェアで、ソフトウェアで又はそれらの組み合わせで実現されてもよい。本発明の実施の形態に従って基地局装置１０が有するプロセッサにより動作するソフトウェア及び本発明の実施の形態に従ってユーザ装置２０が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００９５】
また、情報の通知は、本開示で説明した態様／実施形態に限られず、他の方法を用いて行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージ等であってもよい。
【００９６】
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【００９７】
本明細書で説明した各態様／実施形態の処理手順、シーケンス、フローチャート等は、矛盾の無い限り、順序を入れ替えてもよい。例えば、本開示において説明した方法については、例示的な順序を用いて様々なステップの要素を提示しており、提示した特定の順序に限定されない。
【００９８】
本明細書において基地局装置１０によって行われるとした特定動作は、場合によってはその上位ノード（upper node）によって行われることもある。基地局装置１０を有する１つ又は複数のネットワークノード（network nodes）からなるネットワークにおいて、ユーザ装置２０との通信のために行われる様々な動作は、基地局装置１０及び基地局装置１０以外の他のネットワークノード（例えば、ＭＭＥ又はＳ−ＧＷ等が考えられるが、これらに限られない）の少なくとも１つによって行われ得ることは明らかである。上記において基地局装置１０以外の他のネットワークノードが１つである場合を例示したが、他のネットワークノードは、複数の他のネットワークノードの組み合わせ（例えば、ＭＭＥ及びＳ−ＧＷ）であってもよい。
【００９９】
本開示において説明した情報又は信号等は、上位レイヤ（又は下位レイヤ）から下位レイヤ（又は上位レイヤ）へ出力され得る。複数のネットワークノードを介して入出力されてもよい。
【０１００】
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【０１０１】
本開示における判定は、１ビットで表される値（０か１か）によって行われてもよいし、真偽値（Boolean：true又はfalse）によって行われてもよいし、数値の比較（例えば、所定の値との比較）によって行われてもよい。
【０１０２】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１０３】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１０４】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１０５】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【０１０６】
本開示において使用する「システム」及び「ネットワーク」という用語は、互換的に使用される。
【０１０７】
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０１０８】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＳＣＨ、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０１０９】
本開示においては、「基地局（ＢＳ：Base  Station）」、「無線基地局」、「基地局装置」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１１０】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１１１】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１１２】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１１３】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１１４】
また、本開示における基地局装置は、ユーザ装置で読み替えてもよい。例えば、基地局装置及びユーザ装置間の通信を、複数のユーザ装置２０間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局装置１０が有する機能をユーザ装置２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【０１１５】
同様に、本開示におけるユーザ装置は、基地局装置で読み替えてもよい。この場合、上述のユーザ装置が有する機能を基地局装置が有する構成としてもよい。
【０１１６】
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０１１７】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０１１８】
参照信号は、ＲＳ（Reference  Signal）と略称することもでき、適用される標準によってパイロット（Pilot）と呼ばれてもよい。
【０１１９】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１２０】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０１２１】
上記の各装置の構成における「手段」を、「部」、「回路」、「デバイス」等に置き換えてもよい。
【０１２２】
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０１２３】
無線フレームは時間領域において１つ又は複数のフレームによって構成されてもよい。時間領域において１つ又は複数の各フレームはサブフレームと呼ばれてもよい。サブフレームは更に時間領域において１つ又は複数のスロットによって構成されてもよい。サブフレームは、ニューメロロジ（numerology）に依存しない固定の時間長（例えば、１ｍｓ）であってもよい。
【０１２４】
ニューメロロジは、ある信号又はチャネルの送信及び受信の少なくとも一方に適用される通信パラメータであってもよい。ニューメロロジは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１２５】
スロットは、時間領域において１つ又は複数のシンボル（ＯＦＤＭ（Orthogonal  Frequency  Division  Multiplexing）シンボル、ＳＣ-ＦＤＭＡ（Single  Carrier  Frequency  Division  Multiple  Access）シンボル等）で構成されてもよい。スロットは、ニューメロロジに基づく時間単位であってもよい。
【０１２６】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（又はＰＵＳＣＨ）マッピングタイプＡと呼ばれてもよい。ミニスロットを用いて送信されるＰＤＳＣＨ（又はＰＵＳＣＨ）は、ＰＤＳＣＨ（又はＰＵＳＣＨ）マッピングタイプＢと呼ばれてもよい。
【０１２７】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０１２８】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１２９】
ここで、ＴＴＩは、例えば、無線通信におけるスケジューリングの最小時間単位のことをいう。例えば、ＬＴＥシステムでは、基地局が各ユーザ装置２０に対して、無線リソース（各ユーザ装置２０において使用することが可能な周波数帯域幅、送信電力など）を、ＴＴＩ単位で割り当てるスケジューリングを行う。なお、ＴＴＩの定義はこれに限られない。
【０１３０】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１３１】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１３２】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１３３】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１３４】
リソースブロック（ＲＢ）は、時間領域及び周波数領域のリソース割当単位であり、周波数領域において、１つ又は複数個の連続した副搬送波（subcarrier）を含んでもよい。ＲＢに含まれるサブキャリアの数は、ニューメロロジに関わらず同じであってもよく、例えば１２であってもよい。ＲＢに含まれるサブキャリアの数は、ニューメロロジに基づいて決定されてもよい。
【０１３５】
また、ＲＢの時間領域は、１つ又は複数個のシンボルを含んでもよく、１スロット、１ミニスロット、１サブフレーム、又は１ＴＴＩの長さであってもよい。１ＴＴＩ、１サブフレームなどは、それぞれ１つ又は複数のリソースブロックで構成されてもよい。
【０１３６】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１３７】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１３８】
帯域幅部分（ＢＷＰ：Bandwidth  Part）（部分帯域幅などと呼ばれてもよい）は、あるキャリアにおいて、あるニューメロロジ用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１３９】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１４０】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１４１】
上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１４２】
本開示において、例えば、英語でのa,  an及びtheのように、翻訳により冠詞が追加された場合、本開示は、これらの冠詞の後に続く名詞が複数形であることを含んでもよい。
【０１４３】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０１４４】
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１４５】
なお、本開示において、ＳＳブロック又はＣＳＩ−ＲＳは、同期信号又は参照信号の一例である。
【０１４６】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【符号の説明】
【０１４７】
１０        基地局装置
１１０      送信部
１２０      受信部
１３０      設定部
１４０      制御部
２０        ユーザ装置
２１０      送信部
２２０      受信部
２３０      設定部
２４０      制御部
１００１    プロセッサ
１００２    記憶装置
１００３    補助記憶装置
１００４    通信装置
１００５    入力装置
１００６    出力装置
【図１】
2020166047.tif 000003
【図２】
2020166047.tif 000004
【図３】
2020166047.tif 000005
【図４】
2020166047.tif 000006
【図５】
2020166047.tif 000007
【図６】
2020166047.tif 000008
【図７】
2020166047.tif 000009
【図８】
2020166047.tif 000010
【図９】
2020166047.tif 000011
【図１０】
2020166047.tif 000012
【図１１】
2020166047.tif 000013
【国際調査報告】
2020166047.tif 000014
2020166047.tif 000015